(57)【特許請求の範囲】
【請求項１】
（ａ）ＩＥＥＥ１３９４バス(13)をアイソクロナス転送されて来るデータ・ストリームを復調する復調手段(11,69)、
（ｂ）受信したパケットのヘッダ情報から抽出したアイソクロナス・リソース・チャネルのデータ・フォーマットの種別を調べることにより、データ・ストリームのデータ・フォーマットが”Ａｕｄｉｏ  ＆  Ｍｕｓｉｃ  Ｄａｔａ  Ｔｒａｎｓｍｉｓｓｉｏｎ  Ｐｒｏｔｏｃｏｌ”と言う規格に基づいているか否かを判別し、基づいていれば、該チャネルについて前記復調手段(11,69)が復調可能なデータ・ストリームであると判定する判定手段(11,66)、
（ｃ）前記判定手段(11,66)の判定結果を第１の情報としてユーザに表示する表示手段(19,68)、
（ｄ）前記判定手段(11,66)の判定が復調可能とされたチャネルについてルート・ノードへの問い合わせにより使用中のノードＩＤを検出しさらにそのノードＩＤへの問い合わせよりそのノードＩＤのカンパニーＩＤ及び/又はデバイス・タイプを検出する検出手段(11,66)、及び
（ｅ）前記検出手段(11,66)が検出した各チャネルについてのソース機器(12a,12b)のカンパニーＩＤ及び/又はデバイス・タイプを第２の情報として前記第１の情報と一緒にユーザに表示する前記表示手段(19,68)、
を有していることを特徴とするＩＥＥＥ１３９４バス装備ＡＶシステム。
【請求項２】
（ｆ）第１の情報及び第２の情報の内、少なくとも第１の情報に基づいてユーザが選択したチャネルについて前記復調手段(11,69)に復調させてＡＶ出力手段(16,17)に映像及び／又は音声を出力させる制御手段(1,66)、
を有していることを特徴とする請求項１記載のＩＥＥＥ１３９４バス装備ＡＶシステム。
【請求項３】
前記判定手段(11,66)の判定処理は、ＩＥＥＥ１３９４バス(13)にバス・リセットが生じるごとに実行されて、その処理結果がメモリに書込まれ、前記表示手段(19,68)による表示処理は、前記メモリから読出した処理結果に基づいて実施されることを特徴とする請求項１又は２記載のＩＥＥＥ１３９４バス装備ＡＶシステム。
【請求項４】
（ｇ）前記判定手段(11,66)が前記復調手段(11,69)の復調可能なデータ・ストリームと判定した各チャネルについて順番に前記復調手段(11,69)に復調させてＡＶ出力手段(16,17)に映像及び／又は音声を出力させるチャネルスキャンを実施するチャネルスキャン手段(11,66)、
を有していることを特徴とする請求項１〜３のいずれかに記載のＩＥＥＥ１３９４バス装備ＡＶシステム。
【請求項５】
（ａ）ＩＥＥＥ１３９４バス(13)をアイソクロナス転送されて来るデータ・ストリームを復調する復調手段(11,69)、
（ｂ）前記ＩＥＥＥ１３９４バス(13)が復調可能なデータ・ストリームのチャネルであるか否かを判定する判定手段(11,66)、
（ｃ）前記判定手段(11,66)が前記復調手段(11,69)の復調可能なデータ・ストリームであると判定したデータ・ストリームについてチャネルスキャンにより前記復調手段(11,69)に復調させてＡＶ出力手段(16,17)に映像及び／又は音声を出力させるチャネルスキャンを実施するチャネルスキャン手段(11,66)、
を有していることを特徴とするＩＥＥＥ１３９４バス装備ＡＶシステム。
【請求項６】
前記チャネルスキャン手段(11,66)によるチャネルスキャン中に前記ＡＶ出力手段(16,17)から出力中のチャネルについてユーザによるチャネル選択があったときには、チャネルスキャンを中止して、現在出力中のチャネルの出力を継続することを特徴とする請求項４記載のＩＥＥＥ１３９４バス装備ＡＶシステム。
【発明の詳細な説明】
【０００１】
【発明の属する技術分野】
この発明は、コントロール機器及びソース機器をＩＥＥＥ１３９４（正式には、ＩＥＥＥ１３９４−１９９５であるが、本明細書では省略してＩＥＥＥ１３９４と呼ぶ。）バスで接続したＩＥＥＥ１３９４バス装備ＡＶシステムに関するものである。
【０００２】
【従来の技術】
コントロール機器及びソース機器をＩＥＥＥ１３９４バス（厳密な呼び方は”ＩＥＥＥ１３９４高速シリアルバス”である。）で接続して、ＡＶデータをアイソクロナス転送するＩＥＥＥ１３９４バス装備ＡＶシステムが提案されている。ＩＥＥＥ１３９４バス装備ＡＶシステムでは、ＩＥＥＥ１３９４バスにより機器を最大６３台まで接続可能であるとともに、各機器を任意にオン、オフしたり、接続及び切り離したりしても、バス・リセットがかかって、トポロジが自動的に再設定されるようになっている。
【０００３】
【発明が解決しようとする課題】
コントロール機器は、”ＡＶ／Ｃ  Ｄｉｇｉｔａｌ  Ｉｎｔｅｒｆａｃｅ  Ｃｏｍｍａｎｄ  Ｓｅｔ（現在はＶｅｒｓｉｏｎ  １．０）”に準拠するコマンドを装備しており、そのコマンドをソース機器へアシンクロナス転送して、ソース機器を制御するようになっているが、”ＡＶ／Ｃ  Ｄｉｇｉｔａｌ  Ｉｎｔｅｒｆａｃｅ  Ｃｏｍｍａｎｄ  Ｓｅｔ”に準拠していないソース機器には、制御困難である。従来のＩＥＥＥ１３９４バス装備ＡＶシステムでは、コントロール機器が、”ＡＶ／Ｃ  Ｄｉｇｉｔａｌ  Ｉｎｔｅｒｆａｃｅ  Ｃｏｍｍａｎｄ  Ｓｅｔ”で規定されているＵＮＩＴ  ＩＮＦＯ（０データ・ストリーム０）のコマンドをアシンクロナス転送して、レスポンスが得られなければ、制御できないソース機器であるとして、音声や映像の出力を諦めている。
【０００４】
また、ＩＥＥＥ１３９４バス装備ＡＶシステムでは、規模が大規模になり、ソース機器が各部屋に分散して、配置され、ユーザは、自分の部屋以外の他の部屋にどのようなソース機器がＩＥＥＥ１３９４バスに接続されているか把握できないことがある。従来のＩＥＥＥ１３９４バス装備ＡＶシステムでは、ユーザは、コントロール機器が制御可能なソース機器としてどのようなソース機器がＩＥＥＥ１３９４バスに接続されているかは画面表示等により知ることができるが、他の部屋のソース機器であって、かつコントロール機器により制御できないソース機器については、どのようなものが他の部屋にあるのか分からなかった。
【０００５】
この発明の目的は、上述の問題点を克服できるＩＥＥＥ１３９４バス装備ＡＶシステムを提供することである。
【０００６】
【課題を解決するための手段】
この発明のＩＥＥＥ１３９４バス装備ＡＶシステム(10)は次の（ａ）〜（ｃ）を有している。
（ａ）ＩＥＥＥ１３９４バス(13)をアイソクロナス転送されて来るデータ・ストリームを復調する復調手段(11,69)
（ｂ）各チャネルについて復調手段(11,69)が復調可能なデータ・ストリームであるか否かを判定する判定手段(11,66)
（ｃ）判定手段(11,66)の判定結果を第１の情報としてユーザに表示する表示手段(19,68)
【０００７】
本明細書において、「復調」とは、当業者の一般の使用に倣い、デモジュレーション（ｄｅｍｏｄｕｌａｔｉｏｎ）及びデコード（ｄｅｃｏｄｅ）の両方の概念を包摂したものとする。「復調」は、デコードの概念を排除しないものとして、使用されている。
【０００８】
復調手段(11,69)及び判定手段(11,66)は、共通のコントロール機器(11)に装備されていてもよいし、別々のＩＥＥＥ１３９４バス接続機器(69,66)に装備されてもよい。前記表示手段(19,68)がユーザに表示する第１の情報は、復調手段(11,69)が復調可能なチャネルがどれかの情報だけであってもよいし、さらに、全チャネルについてそのチャネルが復調手段(11,69)により復調できるか否かを示す情報であってもよい。復調手段(11,69)がデータ・ストリームを復調できるか否かは、例えば、判定手段(11,66)が、受信したパケットのヘッダ情報から抽出したアイソクロナス・リソース・チャネルのデータ・フォーマットの種別を調べることにより、判明する。パケット・ヘッダ情報が、”Ａｕｄｉｏ  ＆  Ｍｕｓｉｃ  Ｄａｔａ  Ｔｒａｎｓｍｉｓｓｉｏｎ  Ｐｒｏｔｏｃｏｌ（現在のバージョンは１．０）”と言う規格に基づいて定義されたものであれば、ソース機器(12a,12b)のメーカーや機種に関係なく、パケット・ヘッダ情報より検出できる。
【０００９】
なお、ＩＥＥＥ１３９４バス(13)を介してアシンクロナス転送されるデータ・ストリームには、音声のみの場合、映像のみの場合、及び音声と映像との両方の場合があるとする。ソース機器(12a,12b)は、例えばＣＤプレーヤ、ＭＤプレーヤ、ＤＶＤプレーヤ等である。コントロール機器(11,66)がソース機器(12a,12b)を制御できるか否かは、コントロール機器(11,66)が、例えば”ＡＶ／Ｃ  Ｄｉｇｉｔａｌ  Ｉｎｔｅｒｆａｃｅ  Ｃｏｍｍａｎｄ  Ｓｅｔ”で規定されているＵＮＩＴ  ＩＮＦＯ（０データ・ストリーム０）のコマンドを各ソース機器(12a,12b)へアシンクロナス転送し、レスポンスがあるか否かにより判定される。”ＡＶ／Ｃ  Ｄｉｇｉｔａｌ  Ｉｎｔｅｒｆａｃｅ  Ｃｏｍｍａｎｄ  Ｓｅｔ”対応のソース機器にとり、ＵＮＩＴ  ＩＮＦＯ（０データ・ストリーム０）は必須コマンドとなっている。
【００１０】
ＩＥＥＥ１３９４バス(13)へ接続されているソース機器(12a,12b)には、コントロール機器(11,66)が、そのソース機器(12a,12b)のコマンドに準拠しておらず、制御できないソース機器(12a,12b)がある。しかし、コントロール機器(11,66)により制御できないソース機器(12a,12b)であっても、復調手段(11,69)が、データ・ストリームを復調できる場合がある。例えば、データ・ストリームのデータ・フォーマットが”Ａｕｄｉｏ  ＆  Ｍｕｓｉｃ  Ｄａｔａ  Ｔｒａｎｓｍｉｓｓｉｏｎ  Ｐｒｏｔｏｃｏｌ”と言う規格に基づいて定義されている場合である。こうして、コントロール機器(11,66)が制御できなくて、復調可能なデータ・ストリームをアイソクロナス転送しているソース機器(12a,12b)であれば、そのようなソース機器(12a,12b)についての情報をユーザは知ることができるようになる。特に、ＩＥＥＥ１３９４バス装備ＡＶシステム(10)が大規模になり、多数のソース機器(12a,12b)が、ユーザのいる部屋とは別の部屋に配置されている場合に、利点が多い。なお、コントロール機器(11,66)が制御できないソース機器(12a,12b)の再生や停止等の操作は、ユーザがそのソース機器(12a,12b)の場所へ趣き、直接、手動操作するか、他の人に操作をお願いすること等になる。
【００１１】
この発明のＩＥＥＥ１３９４バス装備ＡＶシステム(10)は、さらに、つぎの（ｄ）及び（ｅ）を有している。
（ｄ）判定手段(11,66)の判定が復調可能とされたチャネルについてルート・ノードへの問い合わせにより使用中のノードＩＤを検出しさらにそのノードＩＤへの問い合わせよりそのノードＩＤのカンパニーＩＤ及び/又はデバイス・タイプを検出する検出手段(11,66)
（ｅ）検出手段(11,66)が検出した各チャネルについてのソース機器(12a,12b)のカンパニーＩＤ及び/又はデバイス・タイプを第２の情報として第１の情報と一緒にユーザに表示する表示手段(19,68)
【００１２】
例えば、アイソクロナス転送しているソース機器(12a,12b)で”ＡＶ／Ｃ  Ｄｉｇｉｔａｌ  Ｉｎｔｅｒｆａｃｅ  Ｃｏｍｍａｎｄ  Ｓｅｔ”に準拠しているものであれば、”Ｃｈａｎｎｅｌ  Ｕｓａｇｅ（０ＡＶデータ２）”のコマンドを使って、アシンクロナス転送によりルート・ノードへ問い合わせれば、アイソクロナス・リソース・チャネルを使っている機器のノードＩＤを、ルート・ノードからアシンクロナス転送により回答して貰い、検出できる。さらに、検出手段(11,66)は、ノードＩＤの判明したソース機器(12a,12b)へそのカンパニーＩＤ及びデバイス・タイプを問い合わせ、その回答よりカンパニーＩＤ及びデバイス・タイプを検出することができる。こうして、ユーザは、第１の情報と共に第２情報を入手して、その後の視聴や録音、録画等のためのＡＶ出力手段(16,17)への出力の参考にすることができる。
【００１３】
この発明のＩＥＥＥ１３９４バス装備ＡＶシステム(10)は、さらに、（ｆ）第１の情報及び第２の情報の内、少なくとも第１の情報に基づいてユーザが選択したチャネルについて復調手段(11,69)に復調させてＡＶ出力手段(16,17)に映像及び／又は音声を出力させる制御手段(1,66)を有している。
【００１４】
第１の情報において復調手段(11,69)が復調可能として表示されているチャネルは、復調手段(11,69)が復調可能であるので、ユーザの選択があれば、復調手段(11,69)が復調して、ＡＶ出力手段(16,17)が映像及び／又は音声を出力し、それをユーザが視聴（この”視聴”には、ソース機器がＭＤプレーヤのような音声専用のソース機器である場合の、音声のみの出力による”聴取”も含むものとする。）することができる。このように、コントロール機器(11,66)が制御できないソース機器(12a,12b)であっても、ユーザは第１の情報を見て、そのソース機器(12a,12b)からＩＥＥＥ１３９４バス(13)をアイソクロナス転送してい来るＡＶデータをＡＶ出力手段(16,17)より出力させて、視聴することができる。
【００１５】
この発明のＩＥＥＥ１３９４バス装備ＡＶシステム(10)によれば、判定手段(11,66)の判定処理は、ＩＥＥＥ１３９４バス(13)にバス・リセットが生じるごとに実行されて、その処理結果がメモリに書込まれ、表示手段(19,68)による表示処理は、メモリから読出した処理結果に基づいて実施される。
【００１６】
ＩＥＥＥ１３９４バス(13)へソース機器(12a,12b)が追加接続されたり、ＩＥＥＥ１３９４バス(13)から所定のソース機器(12a,12b)が外されたりすると、バス・リセットがかかり、これに伴い、各ソース機器(12a,12b)に割当てられていたチャネルや各ソース機器(12a,12b)のノードＩＤの変更が起きる。ＩＥＥＥ１３９４バス(13)にバス・リセットが起きるごとに、判定手段(11,66)の判定処理がやり直され、その結果がメモリに再記録されるので、表示手段(19,68)による情報表示の信頼性が向上する。
【００１７】
この発明のＩＥＥＥ１３９４バス装備ＡＶシステム(10)は、さらに、（ｇ）判定手段(11,66)が復調手段(11,69)の復調可能なデータ・ストリームと判定した各チャネルについて順番に復調手段(11,69)に復調させてＡＶ出力手段(16,17)に映像及び／又は音声を出力させるチャネルスキャンを実施するチャネルスキャン手段(11,66)を有している。
【００１８】
この発明のＩＥＥＥ１３９４バス装備ＡＶシステム(10)は次の（ａ）〜（ｃ）を有している。
（ａ）ＩＥＥＥ１３９４バス(13)をアイソクロナス転送されて来るデータ・ストリームを復調する復調手段(11,69)
（ｂ）ＩＥＥＥ１３９４バス(13)が復調可能なデータ・ストリームのチャネルであるか否かを判定する判定手段(11,66)
（ｃ）判定手段(11,66)が復調手段(11,69)の復調可能なデータ・ストリームであると判定したデータ・ストリームについてチャネルスキャンにより復調手段(11,69)に復調させてＡＶ出力手段(16,17)に映像及び／又は音声を出力させるチャネルスキャンを実施するチャネルスキャン手段(11,66)
【００１９】
ＡＶ出力手段(16,17)には、スピーカだけでなく、ヘッドフォーン、さらに、録音機や録画機等の他のＡＶ出力手段も含まれる。
【００２０】
こうして、復調可能なチャネルについてのチャネルスキャンが実施され、ユーザは、どのような音声や映像が復調可能となっているかを知ることができる。
【００２１】
この発明のＩＥＥＥ１３９４バス装備ＡＶシステム(10)によれば、チャネルスキャン手段(11,66)によるチャネルスキャン中にＡＶ出力手段(16,17)から出力中のチャネルについてユーザによるチャネル選択があったときには、チャネルスキャンを中止して、現在出力中のチャネルの出力を継続する。
【００２２】
チャネルスキャン中、ユーザは、気に入った音や映像が出力されると、そのチャネルを選択して、以後、継続してそのチャネルを視聴することができる。
【００２３】
【発明の実施の形態】
以下、発明の実施の形態について図面を参照して説明する。
図１はＩＥＥＥ１３９４バス装備ＡＶシステム10の概略図である。ＡＶレシーバ11、及びＭＤプレーヤ、ＤＶＤプレーヤ等のソース機器12a，12bは、ＩＥＥＥ１３９４バス13により接続されている。図では、２個のソース機器12a，12bがＩＥＥＥ１３９４バス13へ接続されていることになっているが、これはあくまで説明の簡略上のためであり、ＩＥＥＥ１３９４バス装備ＡＶシステム10には、ＩＥＥＥ１３９４バス13を介してソース機器12nが適宜、追加接続されたり、あるいは一度接続されたソース機器12a，12b，12nが、その後、切り離しされるようになっている。ソース機器が新たに追加接続されたり、切り離されたり、また、ＩＥＥＥ１３９４バス装備ＡＶシステム10の各接続機器のオン、オフを切り替えたりすると、バス・リセットが生じ、ノードＩＤが変更される。ＡＶレシーバ11は、ＩＥＥＥ１３９４バス13とは別のケーブルでモニタ16及びスピーカ17と接続され、それらとデータを送受するとともに、光や赤外線等によるコードレスでハンディリモコン18とデータを送受するようになっている。ハンディリモコン18は、ユーザへ操作画面を表示する表示部19、及びユーザが操作するキー20を備えている。ＡＶレシーバ11は、ＩＥＥＥ１３９４バス13への接続機器として当然のＩＥＥＥ１３９４バスインタフェースの他に、復調器やＣＰＵを内蔵している。
【００２４】
図２はＡＶレシーバ11のＣＰＵにより行われる判定処理のフローチャートである。ＡＶレシーバ11が電力を投入されたり（パワーオン）、ＩＥＥＥ１３９４バス13へ新たなソース機器が追加接続されたり、及び今までＩＥＥＥ１３９４バス13へ接続状態であったソース機器が切り離されたりすると、ＩＥＥＥ１３９４バス13にバス・リセットが生じる。、この判定処理は、バス・リセットの発生ごとに、さらには、ユーザによるハンディリモコン18からの適宜の指示により実施される。Ｓ３０では、アイソクロナス・リソース・チャネルは０〜６３まで定義されるので、最初に、Ｎに初期値として０を代入する。Ｓ３１では、ＡＶレシーバ11は、アイソクロナス・リソース・チャネルＮを受信する。Ｓ３２でチャンネルＮのデータが受信したか否かを判定し、Ｙｅｓであれば、Ｓ３３へ進み、Ｎｏであれば、Ｓ３６へ進む。Ｓ３３では、受信データのパケットのヘッダを解析し、Ｓ３４では、Ｓ３３の解析に基づいてそのデータ・ストリームがＡＶレシーバ11の復調器により復調可能か否かを判定する。アイソクロナス・リソース・チャネルは、先頭からアービトレーション、データ・プリフィックス、パケット、及びデータ・エンドから成り、そのパケットのヘッダ情報は、”Ａｕｄｉｏ  ＆  Ｍｕｓｉｃ  Ｄａｔａ  Ｔｒａｎｓｍｉｓｓｉｏｎ  Ｐｒｏｔｏｃｏｌ”と言う規格に基づいて定義されているので、ヘッダ情報を読み取ることによりデータ・フォーマットの種別が分かり、この種別より復調可能な否かが分かる。復調可能なデータ・ストリームであれば、Ｓ３５を経てＳ３６へ進み、復調できないものであれば、Ｓ３５をスキップして、Ｓ３６へ進む。Ｓ３５では、復調可能と判定されたアイソクロナス・リソース・チャネルＮ及びデータ・フォーマットをＲＡＭへ保存しておく。Ｓ３６では、Ｎを１だけインクレメントして、Ｓ３７では、Ｎが６４以上か否かを判定し、判定がＮｏであれば、Ｓ３１へ戻り、Ｙｅｓであれば、この判定処理を終了する。こうして、ＩＥＥＥ１３９４バス13に現在流れている各チャネルの中から、ＡＶレシーバ11が復調可能なチャネルの全部かＲＡＭに記憶される。
【００２５】
図３は図２の判定結果に基づいて作成した復調可能チャネルリスト21をハンディリモコン18の表示部19に表示した表示画面例である。図３の表示画面は、図２のＳ３５においてデータを保存したＲＡＭよりデータを読み出して作成される。この表示画面は、図２の判定処理の終了後、自動的に表示されてもよいし、ユーザがハンディリモコン18のキー20より指示を出して、モニタ16に呼び出されるようになっていてもよい。各チャネルについて、データ・フォーマット（ＤａｔａＦｏｒｍａｔ）、ノードＩＤ（Ｎｏｄｅ  ＩＤ）、機器タイプ（ＤｅｖｉｃｅＴｙｐｅ）、メーカー（Ｃｏｍｐａｎｙ）が表示される。アイソクロナス転送している機器で”ＡＶ／Ｃ  Ｄｉｇｉｔａｌ  Ｉｎｔｅｒｆａｃｅ  Ｃｏｍｍａｎｄ  Ｓｅｔ”に準拠しているものであれば、ＡＶレシーバ11から、その時点で接続されている複数のノードに対して該チャネルを使用しているノードＩＤが何かを、アシンクロナス転送を利用して、問い合わせることにより、ノードＩＤを検出することができる。この場合、各ノードに対して個々に１個のコマンドを送って問い合わせることもできるし、また、ブロード・キャスト転送を利用して、すべてのノードに対して一括に１個のコマンドを送って問い合わせることもできる。ＡＶレシーバ11は、さらに、その検出したノードＩＤへ機器タイプ及びメーカー名を、アシンクロナス転送を利用して、問い合わせて、検出する。機器タイプ及びメーカー名の検出は、図２のＳ３４とＳ３５との間で行われてもよいし、Ｓ３５において保存したデータをメモリから読み出し、そのデータに基づいて復調可能チャネルリスト21の作成に先立って行われてもよい。ユーザは、復調可能チャネルリスト21を見て、各チャネルについてのデータ・フォーマット、ノードＩＤ、機器タイプ、メーカーを知る。図３の復調可能チャネルリスト21では、ＡＶレシーバ11がデータ・ストリームを復調可能なチャネルはチャネル０〜４の計５個存在し、内、チャネル０，２，３の３個については、”ＡＶ／Ｃ  Ｄｉｇｉｔａｌ  Ｉｎｔｅｒｆａｃｅ  Ｃｏｍｍａｎｄ  Ｓｅｔ”に準拠したソース機器であって、ノードＩＤ、機器タイプ、及びメーカー名が判明したことが分かる。ユーザは、ハンディリモコン18のキー20を操作して、視聴しようとするチャネルを選択し、確定すると、選択したチャネルがモニタ16及びスピーカ17より出力される（音声のデータ・ストリームのみである場合は、モニタ16からの映像出力はなく、スピーカ17からの音声出力のみとなる。）。図３では、チャネル２が選択されている。図３の画面では、復調可能チャネルリスト21以外にＳＥＴキー22及びＥＤＩＴキー23が表示され、ＳＥＴキー22については、図４のフローチャートのＳ５５で説明する。ユーザはＥＤＩＴキー23を確定すると、図３の表示画面が消え、メニュー画面等へ切り替えられる。この復調可能チャネルリスト21は、ハンディリモコン18の表示部19ではなく、ハンディリモコン18のキー20におけるユーザの操作によりモニタ16に表示することもできる。
【００２６】
図４はチャネルスキャンの処理のフローチャートである。このチャネルスキャンは、Ｓ５０から分かるように、図３の表示後に実施されるが、チャネルスキャンは、図３の表示とは関係なく、ユーザが適宜指示して実施されるようにしてよい。リストアップ動作、すなわち図３の復調可能チャネルリスト21の表示が終了すると（Ｓ５０）、ユーザからのチャンネルサーチ（＝チャネルスキャン）の指示を待つ（Ｓ５１）。指示があると、Ｎに初期値として０を代入し（Ｓ５２）、アイソクロナス・リソース・チャネルＮを受信開始し（Ｓ５３）、復調し、データ・フォーマットの種別に対応してデコードし（Ｓ５４）、デコードされたＡＶデータがモニタ16及び／又はスピーカ17から出力される。ユーザは、モニタ16の映像及び／又はスピーカ17からの音を見て、そのまま継続して視聴したいときは、ハンディリモコン18のキー20を操作して、表示部19内のＳＥＴキー22を選択、確定するが、次のチャネルの出力へ移したいときは、ＳＥＴキー22を確定することなく、そのまま放置して、一定時間が経過する（Ｓ５５，Ｓ５７）。ＳＥＴキー22が確定されることなく、一定時間が経過した場合は、Ｎを１だけインクレメントし（Ｓ５８）、Ｎが復調可能チャネルリスト21の最大チャネルとしてのチャネル・ＭＡＸより大きくなっていないかを判定する（Ｓ５９）。一定時間内にユーザがＳＥＴキー22を確定したときは、Ｓ５６へ進んで、現在受信しているチャネルに受信チャネルを固定し、チャネルスキャンを中止して、スピーカ17及び/又はモニタ16から出力中の音及び映像を以降も継続的に視聴できるようにする。
【００２７】
図５は別のＩＥＥＥ１３９４バス装備ＡＶシステム10の構成図である。このＩＥＥＥ１３９４バス装備ＡＶシステム10では、コントロール機器と復調機器とが分離される。すなわち、パソコン66はコントロール機器としての機能をもち、アンプ・レシーバ69は復調器を内蔵し、パソコン66及びアンプ・レシーバ69は、ソース機器12a，12bと共にＩＥＥＥ１３９４バス13により接続されている。モニタ16及びスピーカ17は、アンプ・レシーバ69から復調されたＡＶデータを入力されて、映像及び音を出力するようになっている。パソコン66は、ディスプレー68に操作画面を表示し、ユーザは、キーボード67を操作して、指示をパソコン66へ送る。アンプ・レシーバ69は、パソコン66により復調可能と判定されたチャネルについてデータ・ストリームを復調し、復調データをモニタ16及びスピーカ17へ出力して、モニタ16及びスピーカ17から映像及び音声が出力される。
【図面の簡単な説明】
【図１】ＩＥＥＥ１３９４バス装備ＡＶシステムの概略図である。
【図２】ＡＶレシーバのＣＰＵにより行われる判定処理のフローチャートである。
【図３】図２の判定結果に基づいて作成した復調可能チャネルリストをハンディリモコンの表示部に表示した表示画面例である。
【図４】チャネルスキャンの処理のフローチャートである。
【図５】別のＩＥＥＥ１３９４バス装備ＡＶシステムの構成図である。
【符号の説明】
１０    ＩＥＥＥ１３９４バス装備ＡＶシステム
１１    ＡＶレシーバ（コントロール機器、制御手段、復調手段、判定手段、検出手段、チャネルスキャン手段）
１２ａ，１２ｂ    ソース機器
１３    ＩＥＥＥ１３９４バス
１６    モニタ（ＡＶ出力手段）
１７    スピーカ（ＡＶ出力手段）
１９    表示部（表示手段）
６６    パソコン（コントロール機器、制御手段、判定手段、検出手段、チャネルスキャン手段）
６８    ディスプレー（表示手段）
６９    アンプ・レシーバ（復調手段）
【図１】
0003695942.tif 000002
【図２】
0003695942.tif 000003
【図３】
0003695942.tif 000004
【図４】
0003695942.tif 000005
【図５】
0003695942.tif 000006